(57)【要約】【課題】  ＵＳＢ対応無線ＬＡＮデバイスのインストールに関する操作をより容易にすることができるようにする。【解決手段】  無線ＬＡＮデバイス１がパソコン５に接続されると、無線ＬＡＮデバイス１は、フラッシュメモリ２をパソコン５にＵＳＢキーボードデバイスとして認識させる。そして、無線ＬＡＮデバイス１は、ＵＳＢキーボードデバイスとして認識させたフラッシュメモリ２からインストール用ファイルをパソコン５に転送してインストールさせる。【選択図】      図１
2005316852.tif 000002
【特許請求の範囲】
【請求項１】
ＵＳＢ対応無線ＬＡＮデバイスをコンピュータに認識させるためのＵＳＢ対応無線ＬＡＮデバイスの認識方法であって、
前記ＵＳＢ対応無線ＬＡＮデバイスは、前記コンピュータに接続されると、前記ＵＳＢ対応無線ＬＡＮデバイスに搭載されているメモリを前記コンピュータにＵＳＢキーボードデバイスとして認識させるステップと、
前記ＵＳＢキーボードデバイスとして認識させた前記メモリからインストール用ソフトウェアを前記コンピュータに転送してインストールさせるステップと、
を含むことを特徴とするＵＳＢ対応無線ＬＡＮデバイスの認識方法。
【請求項２】
前記コンピュータは、Ｗｉｎｄｏｗｓ（登録商標）のＯＳが搭載されていることを特徴とする請求項１に記載のＵＳＢ対応無線ＬＡＮデバイスの認識方法。
【請求項３】
ＵＳＢ対応無線ＬＡＮデバイスをコンピュータに認識させるための認識プログラムであって、
前記ＵＳＢ対応無線ＬＡＮデバイスが前記コンピュータに接続されると、前記ＵＳＢ対応無線ＬＡＮデバイスに搭載されているメモリを前記コンピュータにＵＳＢキーボードデバイスとして認識させる手順と、
前記ＵＳＢキーボードデバイスとして認識させた前記メモリからインストール用ソフトウェアを前記コンピュータに転送してインストールさせる手順と、
を前記ＵＳＢ対応無線ＬＡＮデバイスに実行させるための認識プログラム。
【請求項４】
前記コンピュータは、Ｗｉｎｄｏｗｓ（登録商標）のＯＳが搭載されていることを特徴とする請求項３に記載の認識プログラム。
【請求項５】
ＵＳＢ対応無線ＬＡＮデバイスがコンピュータに接続されると、前記ＵＳＢ対応無線ＬＡＮデバイスに搭載されているメモリを前記コンピュータにＵＳＢキーボードデバイスとして認識させる擬似キーボードデバイス機能と、
前記擬似キーボードデバイス機能によって認識させた前記メモリからインストール用ソフトウェアを前記コンピュータに転送してインストールさせるインストール機能と、
を備えたことを特徴とするＵＳＢ対応無線ＬＡＮデバイス。
【請求項６】
前記コンピュータは、Ｗｉｎｄｏｗｓ（登録商標）のＯＳが搭載されていることを特徴とする請求項５に記載のＵＳＢ対応無線ＬＡＮデバイス。
【発明の詳細な説明】
【技術分野】
【０００１】
本発明は、ＵＳＢ（Universal Serial Bus）対応無線ＬＡＮ（Local Area Network）デバイスの認識方法、その方法を実現させるための認識プログラム及びＵＳＢ対応無線ＬＡＮデバイスに関する。
【背景技術】
【０００２】
従来、ＵＳＢ対応無線ＬＡＮデバイスの認識方法として、ユーザがキーボードなどの入力デバイスを操作することによりＵＳＢ対応無線ＬＡＮデバイスのドライバをコンピュータにインストールさせる方法がある（例えば、非特許文献１）。
【非特許文献１】株式会社バッファロー、“製品情報”、[online]、[平成１６年４月２９日検索]、インターネット＜ＵＲＬ：http://buffalo.melcoinc.co.jp/products/catalog/item/w/wli-usb-l11g/＞
【発明の開示】
【発明が解決しようとする課題】
【０００３】
しかしながら、ユーザが入力デバイスを操作することなく、より容易にＵＳＢ対応無線ＬＡＮデバイスのドライバをコンピュータにインストールさせなければならないという課題があった。
【０００４】
本発明は、このような事情に鑑みてなされたものであり、その目的は、ＵＳＢ対応無線ＬＡＮデバイスのインストールに関する操作をより容易にすることができるＵＳＢ対応無線ＬＡＮデバイスの認識方法、認識プログラム及びＵＳＢ対応無線ＬＡＮデバイスを提供することである。
【課題を解決するための手段】
【０００５】
前記課題を解決するため本発明の認識方法は、ＵＳＢ対応無線ＬＡＮデバイスがコンピュータに接続されると、ＵＳＢ対応無線ＬＡＮデバイスに搭載されているメモリを前記コンピュータにＵＳＢキーボードデバイスとして認識させるステップと、ＵＳＢキーボードデバイスとして認識させたメモリからインストール用ソフトウェアをコンピュータに転送してインストールさせるステップとを含む、という手法を採用している。
【０００６】
本発明の認識方法によれば、まず、ＵＳＢ対応無線ＬＡＮデバイスのメモリがＵＳＢキーボードデバイスとしてコンピュータに認識されて、次に、メモリから転送されたインストール用ソフトウェアがコンピュータにインストールされることとなる。
【０００７】
また、本発明の認識プログラムは、ＵＳＢ対応無線ＬＡＮデバイスがコンピュータに接続されると、ＵＳＢ対応無線ＬＡＮデバイスに搭載されているメモリをコンピュータにＵＳＢキーボードデバイスとして認識させる手順と、ＵＳＢキーボードデバイスとして認識させたメモリからインストール用ソフトウェアをコンピュータに転送してインストールさせる手順とをＵＳＢ対応無線ＬＡＮデバイスに実行させる。
【０００８】
また、本発明のＵＳＢ対応無線ＬＡＮデバイスは、ＵＳＢ対応無線ＬＡＮデバイスがコンピュータに接続されると、ＵＳＢ対応無線ＬＡＮデバイスに搭載されているメモリをコンピュータにＵＳＢキーボードデバイスとして認識させる擬似キーボードデバイス機能と、擬似キーボードデバイス機能によって認識させたメモリからインストール用ソフトウェアをコンピュータに転送してインストールさせるインストール機能とを備える、という構成を採用している。
【０００９】
本発明のＵＳＢ対応無線ＬＡＮデバイスによれば、ＵＳＢキーボードデバイスとしてコンピュータに認識されたＵＳＢ対応無線ＬＡＮデバイスのメモリから転送されたインストール用ソフトウェアがコンピュータにインストールされることとなる。
【発明の効果】
【００１０】
本発明によれば、ＵＳＢキーボードデバイスとしてコンピュータに認識されたＵＳＢ対応無線ＬＡＮデバイスのメモリから転送されたインストール用ソフトウェアがインストールされるので、ＵＳＢ対応無線ＬＡＮデバイスのインストールに関する操作をより容易にすることができる。
【発明を実施するための最良の形態】
【００１１】
以下、本発明の実施の形態について図面を参照しながら詳細に説明する。図１は、本発明のＵＳＢ対応無線ＬＡＮデバイスとパソコン（コンピュータ）との接続によって構築される無線ＬＡＮシステムの構成図である。ここでは、無線ＬＡＮアダプタをＵＳＢ対応無線ＬＡＮデバイスとした場合を想定して説明するが、特にその種類は制限されない。
図１において、ＵＳＢ対応無線ＬＡＮデバイス（以下単に「無線ＬＡＮデバイス」という。）１は、フラッシュメモリ２と制御部（ＮＰ）３とを搭載している。そして、無線ＬＡＮデバイス１には、ＵＳＢ型のコネクタ４が実装されている。なお、ＮＰは、ネットワークプロセッサの略である。
フラッシュメモリ２には、無線ＬＡＮデバイス１のインストール用ファイル（ソフトウェア）が格納されている。制御部３は、無線ＬＡＮデバイス１に組み込まれている認識プログラムに従って種々の機能を有するが、これらの機能については図２で後記する。
【００１２】
パソコン（コンピュータ）５には、Ｗｉｎｄｏｗｓ（登録商標）のＯＳ（Operating System）が搭載され、ＵＳＢポートが付いている。Ｗｉｎｄｏｗｓ（登録商標）のＯＳとしては、例えば、Ｗｉｎｄｏｗｓ（登録商標）９８、Ｗｉｎｄｏｗｓ（登録商標）ＸＰ、Ｗｉｎｄｏｗｓ（登録商標）ＭＥ、Ｗｉｎｄｏｗｓ（登録商標）２０００などが挙げられる。
【００１３】
次に、無線ＬＡＮデバイス１をパソコン５に認識させるための認識手順を図２を参照して説明する。図２は、無線ＬＡＮデバイス１の制御部３の認識手順を示す図である。
例えばユーザが、無線ＬＡＮデバイス１のコネクタ４を介して、パソコン５のＵＳＢポートに無線ＬＡＮデバイス１を接続すると、無線ＬＡＮデバイス１の制御部３がフラッシュメモリ２をＵＳＢキーボードデバイスとしてパソコン５に認識させる（Ｓ１：これを「擬似キーボードデバイス機能」と呼ぶ。）。これにより、パソコン５が、無線ＬＡＮデバイス１のフラッシュメモリ２をＵＳＢキーボードデバイスとして認識することとなる。
【００１４】
次に、制御部３は、ＵＳＢキーボードデバイスとして認識させたフラッシュメモリ２からインストール用ファイル（ここではキーボード・マクロを含む）をキー入力としてパソコン５に転送し（Ｓ２）、インストール用ファイルをパソコン５にインストールさせる（Ｓ３：Ｓ２およびＳ３を「インストール機能」と呼ぶ。）。
このようにすると、パソコン５では、インストール用ファイルが自動的にコピーされ、無線ＬＡＮデバイス１が認識されることとなる。したがって、以降、無線ＬＡＮデバイス１とパソコン５との間では、無線ＬＡＮの機能が実現されることとなる。以上から、より容易に無線ＬＡＮデバイス１のドライバをパソコン５にインストールすることができる。
【図面の簡単な説明】
【００１５】
【図１】本発明の無線ＬＡＮデバイスとパソコンとの接続によって構築される無線ＬＡＮシステムの構成図である。
【図２】図１の無線ＬＡＮデバイスの制御部の認識手順を示す図である。
【符号の説明】
【００１６】
１      無線ＬＡＮデバイス（ＵＳＢ対応無線ＬＡＮデバイス）
２      フラッシュメモリ（メモリ）
３      制御部
４      コネクタ
５      パソコン（コンピュータ）
【図１】
2005316852.tif 000003
【図２】
2005316852.tif 000004